【手続補正書】
【提出日】平成28年10月11日(2016.10.11)
【手続補正１】
【補正対象書類名】特許請求の範囲
【補正対象項目名】全文
【補正方法】変更
【補正の内容】
【特許請求の範囲】
【請求項１】
基地局によるワイヤレス通信のための方法であって、
１つまたは複数の基準に基づいて、前記基地局と前記基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、
サブフレーム中で前記選択されたタイプのＰＤＣＣＨを前記半二重中継ノードに送信することとを備え、ここにおいて、
前記ＰＤＣＣＨの第１のタイプは、中継ＰＤＣＣＨ（Ｒ−ＰＤＣＣＨ）であり、
前記ＰＤＣＣＨの第２のタイプは、拡張ＰＤＣＣＨ（ｅＰＤＣＣＨ）である、
方法。
【請求項２】
Ｒ−ＰＤＣＣＨのための複数のリソース割振りを構成することをさらに備える、および／または、
ｅＰＤＣＣＨのためのサブフレーム中で終了シンボルを構成することをさらに備える、
請求項１に記載の方法。
【請求項３】
前記ＰＤＣＣＨの第１のタイプは、共通基準信号（ＣＲＳ）または復調基準信号（ＤＭ−ＲＳ）を用いて送信され、
前記ＰＤＣＣＨの第２のタイプは、ＤＭ−ＲＳを用い、ＣＲＳを用いずに送信される、請求項１に記載の方法。
【請求項４】
前記１つまたは複数の基準は、前記中継ノードの処理能力に関係する、請求項１に記載の方法。
【請求項５】
前記１つまたは複数の基準は、前記中継ノードと前記基地局との間のチャネル状態に関係し、および、オプションとして、
前記中継ノードのアップリンクタイミングアドバンスがしきい値を上回る場合、前記ＰＤＣＣＨの第１のタイプが選択され、
前記中継ノードの前記アップリンクタイミングアドバンスがしきい値を下回る場合、前記ＰＤＣＣＨの第２のタイプが選択される、請求項１に記載の方法。
【請求項６】
前記１つまたは複数の基準は、ユーザ機器として働くときに前記中継ノードが初期アクセスのために使用したＰＤＣＣＨのタイプに関係する、および／または、
前記１つまたは複数の基準は、前記中継ノードによって示されるＰＤＣＣＨの好ましいタイプに関係する、および／または、
ＰＤＣＣＨの前記選択されたタイプの指示を前記中継ノードに与えることをさらに備える、請求項１に記載の方法。
【請求項７】
中継ノードによるワイヤレス通信のための方法であって、
基地局と前記基地局によってサービスされるユーザ機器（ＵＥ）との間の送信を中継するために前記中継ノードを使用する前記基地局から送信される物理ダウンリンク制御チャネル（ＰＤＣＣＨ）の第１のタイプをモニタすべきかＰＤＣＣＨの第２のタイプをモニタすべきかを決定することと、
サブフレーム中で前記決定されたタイプのＰＤＣＣＨをモニタすることと
を備え、
前記ＰＤＣＣＨの第１のタイプは、中継ＰＤＣＣＨ（Ｒ−ＰＤＣＣＨ）であり、
前記ＰＤＣＣＨの第２のタイプは、拡張ＰＤＣＣＨ（ｅＰＤＣＣＨ）である、方法。
【請求項８】
Ｒ−ＰＤＣＣＨのための複数のリソース割振りの構成の指示を受信することをさらに備える、および／または、
ｅＰＤＣＣＨのためのサブフレーム中で終了シンボルの構成の指示を受信することをさらに備える、請求項７に記載の方法。
【請求項９】
前記ＰＤＣＣＨの第１のタイプは、共通基準信号（ＣＲＳ）または復調基準信号（ＤＭ−ＲＳ）を用いて送信され、
前記ＰＤＣＣＨの第２のタイプは、ＤＭ−ＲＳを用い、ＣＲＳを用いずに送信される、請求項７に記載の方法。
【請求項１０】
前記決定することは、前記中継ノードと前記基地局との間のチャネル状態に少なくとも部分的に基き、および、オプションとして、
前記中継ノードのアップリンクタイミングアドバンスがしきい値を上回る場合、前記ＰＤＣＣＨの第１のタイプをモニタすることを決定することと、
前記中継ノードの前記アップリンクタイミングアドバンスがしきい値を下回る場合、前記ＰＤＣＣＨの第２のタイプをモニタすることを決定することと
請求項７に記載の方法。
【請求項１１】
前記決定することは、ユーザ機器として働くときに前記中継ノードが初期アクセスのために使用したＰＤＣＣＨのタイプに少なくとも部分的に基づく、および／または、
前記中継ノードからのＰＤＣＣＨの好ましいタイプの明示的指示を送信すること、および／または、ここにおいて、
前記決定することは、
前記基地局からＰＤＣＣＨの選択されたタイプの指示を受信することを備える、請求項７に記載の方法。
【請求項１２】
基地局によるワイヤレス通信のための装置であって、
１つまたは複数の基準に基づいて、前記基地局と前記基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、サブフレーム中で前記選択されたタイプのＰＤＣＣＨを前記半二重中継ノードに送信することとを行うように構成される少なくとも１つのプロセッサと、
前記少なくとも１つのプロセッサに結合されたメモリとを備え、ここにおいて、
前記ＰＤＣＣＨの第１のタイプは、中継ＰＤＣＣＨ（Ｒ−ＰＤＣＣＨ）であり、
前記ＰＤＣＣＨの第２のタイプは、拡張ＰＤＣＣＨ（ｅＰＤＣＣＨ）である、
装置。
【請求項１３】
前記１つまたは複数の基準は、ユーザ機器として働くときに前記中継ノードが初期アクセスのために使用したＰＤＣＣＨのタイプに関係する、および／または、
前記少なくとも１つのプロセッサは、ＰＤＣＣＨの前記選択されたタイプの指示を前記中継ノードに与えるようにさらに構成される、請求項１２に記載の装置。
【請求項１４】
中継ノードによるワイヤレス通信のための装置であって、
基地局と前記基地局によってサービスされるユーザ機器（ＵＥ）との間の送信を中継するために前記中継ノードを使用する前記基地局から送信される物理ダウンリンク制御チャネル（ＰＤＣＣＨ）の第１のタイプをモニタすべきかＰＤＣＣＨの第２のタイプをモニタすべきかを決定することと、サブフレーム中で前記決定されたタイプのＰＤＣＣＨをモニタすることとを行うように構成される少なくとも１つのプロセッサと、
前記少なくとも１つのプロセッサに結合されたメモリとを備え、ここにおいて、
前記ＰＤＣＣＨの第１のタイプは、中継ＰＤＣＣＨ（Ｒ−ＰＤＣＣＨ）であり、
前記ＰＤＣＣＨの第２のタイプは、拡張ＰＤＣＣＨ（ｅＰＤＣＣＨ）である、
装置。
【請求項１５】
前記決定することは、
ユーザ機器として働くときに前記中継ノードが初期アクセスのために使用したＰＤＣＣＨのタイプに少なくとも部分的に基づく、および／または、
前記少なくとも１つのプロセッサが、前記中継ノードからのＰＤＣＣＨの好ましいタイプの明示的指示を送信するようにさらに構成される、および／または、
前記決定することは、
前記基地局からＰＤＣＣＨの選択されたタイプの指示を受信することを備える、請求項１４に記載の装置。
【手続補正２】
【補正対象書類名】明細書
【補正対象項目名】０１０６
【補正方法】変更
【補正の内容】
【０１０６】
[00115]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
[Ｃ１]  基地局によるワイヤレス通信のための方法であって、
１つまたは複数の基準に基づいて、前記基地局と前記基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、
サブフレーム中で前記選択されたタイプのＰＤＣＣＨを前記半二重中継ノードに送信することとを備える、方法。
[Ｃ２]  前記ＰＤＣＣＨの第１のタイプは、ＴＤＭ構造に基づき、
前記ＰＤＣＣＨの第２のタイプは、ＦＤＭ構造に基づく、Ｃ１に記載の方法。
[Ｃ３]  前記ＰＤＣＣＨの第１のタイプは、中継ＰＤＣＣＨ（Ｒ−ＰＤＣＣＨ）であり、
前記ＰＤＣＣＨの第２のタイプは、拡張ＰＤＣＣＨ（ｅＰＤＣＣＨ）である、Ｃ１に記載の方法。
[Ｃ４]  Ｒ−ＰＤＣＣＨのための複数のリソース割振りを構成することをさらに備える、Ｃ３に記載の方法。
[Ｃ５]  ｅＰＤＣＣＨのためのサブフレーム中で終了シンボルを構成することをさらに備える、Ｃ３に記載の方法。
[Ｃ６]  前記ＰＤＣＣＨの第１のタイプは、共通基準信号（ＣＲＳ）または復調基準信号（ＤＭ−ＲＳ）を用いて送信され、
前記ＰＤＣＣＨの第２のタイプは、ＤＭ−ＲＳを用い、ＣＲＳを用いずに送信される、Ｃ１に記載の方法。
[Ｃ７]  前記１つまたは複数の基準は、前記中継ノードの処理能力に関係する、Ｃ１に記載の方法。
[Ｃ８]  前記１つまたは複数の基準は、前記中継ノードと前記基地局との間のチャネル状態に関係する、Ｃ１に記載の方法。
[Ｃ９]  前記中継ノードのアップリンクタイミングアドバンスがしきい値を上回る場合、ＰＤＣＣＨの前記第１のタイプが選択され、
前記中継ノードの前記アップリンクタイミングアドバンスがしきい値を下回る場合、ＰＤＣＣＨの前記第２のタイプが選択される、Ｃ８に記載の方法。
[Ｃ１０]  前記１つまたは複数の基準は、ユーザ機器として働くときに初期アクセスのために使用される前記中継ノードＰＤＣＣＨのタイプに関係する、Ｃ１に記載の方法。
[Ｃ１１]  前記１つまたは複数の基準は、前記中継ノードによって示されるＰＤＣＣＨの好ましいタイプに関係する、Ｃ１に記載の方法。
[Ｃ１２]  ＰＤＣＣＨの前記選択されたタイプの指示を前記中継ノードに与えることをさらに備える、Ｃ１に記載の方法。
[Ｃ１３]  中継ノードによるワイヤレス通信のための方法であって、
基地局と前記基地局によってサービスされるユーザ機器（ＵＥ）との間の送信を中継するために前記中継ノードを使用する前記基地局から送信される物理ダウンリンク制御チャネル（ＰＤＣＣＨ）の第１のタイプをモニタすべきかＰＤＣＣＨの第２のタイプをモニタすべきかを決定することと、
サブフレーム中で前記決定されたタイプのＰＤＣＣＨをモニタすることとを備える、方法。
[Ｃ１４]  前記ＰＤＣＣＨの第１のタイプは、ＴＤＭ構造に基づき、
前記ＰＤＣＣＨの第２のタイプは、ＦＤＭ構造に基づく、Ｃ１３に記載の方法。
[Ｃ１５]  前記ＰＤＣＣＨの第１のタイプは、中継ＰＤＣＣＨ（Ｒ−ＰＤＣＣＨ）であり、
前記ＰＤＣＣＨの第２のタイプは、拡張ＰＤＣＣＨ（ｅＰＤＣＣＨ）である、Ｃ１３に記載の方法。
[Ｃ１６]  Ｒ−ＰＤＣＣＨのための複数のリソース割振りの構成の指示を受信することをさらに備える、Ｃ１５に記載の方法。
[Ｃ１７]  ｅＰＤＣＣＨのためのサブフレーム中で終了シンボルの構成の指示を受信することをさらに備える、Ｃ１５に記載の方法。
[Ｃ１８]  前記ＰＤＣＣＨの第１のタイプは、共通基準信号（ＣＲＳ）または復調基準信号（ＤＭ−ＲＳ）を用いて送信され、
前記ＰＤＣＣＨの第２のタイプは、ＤＭ−ＲＳを用い、ＣＲＳを用いずに送信される、Ｃ１３に記載の方法。
[Ｃ１９]  前記決定することは、前記中継ノードと前記基地局との間のチャネル状態に少なくとも部分的に基づく、Ｃ１３に記載の方法。
[Ｃ２０]  前記決定することは、
前記中継ノードのアップリンクタイミングアドバンスがしきい値を上回る場合、ＰＤＣＣＨの前記第１のタイプをモニタすることを決定することと、
前記中継ノードの前記アップリンクタイミングアドバンスがしきい値を下回る場合、ＰＤＣＣＨの前記第２のタイプをモニタすることを決定することとを備える、Ｃ１９に記載の方法。
[Ｃ２１]  前記決定することは、ユーザ機器として働くときに初期アクセスのために使用される前記中継ノードＰＤＣＣＨのタイプに少なくとも部分的に基づく、Ｃ１３に記載の方法。
[Ｃ２２]  前記中継ノードからのＰＤＣＣＨの好ましいタイプの明示的指示を送信することをさらに備える、Ｃ１３に記載の方法。
[Ｃ２３]  前記決定することは、
前記基地局からＰＤＣＣＨの選択されたタイプの指示を受信することを備える、Ｃ１３に記載の方法。
[Ｃ２４]  基地局によるワイヤレス通信のための装置であって、
１つまたは複数の基準に基づいて、前記基地局と前記基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、サブフレーム中で前記選択されたタイプのＰＤＣＣＨを前記半二重中継ノードに送信することとを行うように構成される少なくとも１つのプロセッサと、
前記少なくとも１つのプロセッサに結合されたメモリとを備える、装置。
[Ｃ２５]  前記１つまたは複数の基準は、ユーザ機器として働くときに初期アクセスのために使用される前記中継ノードＰＤＣＣＨのタイプに関係する、Ｃ２４に記載の装置。
[Ｃ２６]  前記少なくとも１つのプロセッサは、ＰＤＣＣＨの前記選択されたタイプの指示を前記中継ノードに与えるようにさらに構成される、Ｃ２４に記載の装置。
[Ｃ２７]  中継ノードによるワイヤレス通信のための装置であって、
基地局と前記基地局によってサービスされるユーザ機器（ＵＥ）との間の送信を中継するために前記中継ノードを使用する前記基地局から送信される物理ダウンリンク制御チャネル（ＰＤＣＣＨ）の第１のタイプをモニタすべきかＰＤＣＣＨの第２のタイプをモニタすべきかを決定することと、サブフレーム中で前記決定されたタイプのＰＤＣＣＨをモニタすることとを行うように構成される少なくとも１つのプロセッサと、
前記少なくとも１つのプロセッサに結合されたメモリとを備える、装置。
[Ｃ２８]  前記決定することは、
ユーザ機器として働くときに初期アクセスのために使用される前記中継ノードＰＤＣＣＨのタイプに少なくとも部分的に基づく、Ｃ２７に記載の装置。
[Ｃ２９]  前記少なくとも１つのプロセッサが、前記中継ノードからのＰＤＣＣＨの好ましいタイプの明示的指示を送信するようにさらに構成された、Ｃ２７に記載の装置。
[Ｃ３０]  前記決定することは、
前記基地局からＰＤＣＣＨの選択されたタイプの指示を受信することを備える、Ｃ２７に記載の装置。